【手続補正書】
【提出日】平成30年10月17日(2018.10.17)
【手続補正１】
【補正対象書類名】明細書
【補正対象項目名】発明の名称
【補正方法】変更
【補正の内容】
【発明の名称】照明装置の取付構造及び車両用ドア
【手続補正２】
【補正対象書類名】明細書
【補正対象項目名】０００１
【補正方法】変更
【補正の内容】
【０００１】
本発明は、取付対象の湾曲面に対して照明装置を取り付けるための照明装置の取付構造及び車両用ドアに関する。
【手続補正３】
【補正対象書類名】明細書
【補正対象項目名】０００６
【補正方法】変更
【補正の内容】
【０００６】
本発明は、このような課題を考慮してなされたものであり、ねじ部材を用いることなく照明装置を安定的に取付対象の湾曲面に対して取り付けることができ、取付工数を低減することができる照明装置の取付構造及び車両用ドアを提供することを目的とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明の一態様は、取付対象の湾曲面に設けられて略鉛直方向に延在した平板状のベース部を有する台座と、照明装置を前記ベース部に対して固定する取付部と、を備え、前記取付部は、前記ベース部から立設した支持壁部と、前記ベース部から立設して前記照明装置の一方の側面に面接触する側壁部と、を有し、前記ベース部には、前記ベース部から前記支持壁部が位置する側に突出し、且つ前記支持壁部に隣接して前記支持壁部側から前記側壁部側に向かって伸長する第１突出部及び第２突出部が設けられており、前記第１突出部の一部には、前記ベース部から離間する方向に突出した壁部が設けられている、照明装置の取付構造である。
【手続補正６】
【補正対象書類名】明細書
【補正対象項目名】０００９
【補正方法】変更
【補正の内容】
【０００９】
本発明の他の態様は、上述した照明装置の取付構造と、前記取付対象であるドアライニングと、を備え、前記ドアライニングは、ベーストリムと、前記ベーストリムに接続して前記ドアライニングの上方部を構成するアッパートリムと、ドアノブと、を有し、前記ベーストリムには、ドアアームレストが形成されている、車両用ドアである。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】変更
【補正の内容】
【００１８】
本発明の第１の特徴によれば、取付対象の湾曲面に設けられた台座の平板状のベース部に対して取付部によって照明装置を固定することができる。よって、ねじ部材を用いることなく照明装置を安定的に取付対象の湾曲面に対して取り付けることができる。よって、照明装置の取付工数を低減することができる。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】特許請求の範囲
【補正対象項目名】全文
【補正方法】変更
【補正の内容】
【特許請求の範囲】
【請求項１】
取付対象の湾曲面に設けられて略鉛直方向に延在した平板状のベース部を有する台座と、
照明装置を前記ベース部に対して固定する取付部と、
を備え、
前記取付部は、前記ベース部から立設した支持壁部と、
前記ベース部から立設して前記照明装置の一方の側面に面接触する側壁部と、を有し、
前記ベース部には、前記ベース部から前記支持壁部が位置する側に突出し、且つ前記支持壁部に隣接して前記支持壁部側から前記側壁部側に向かって伸長する第１突出部及び第２突出部が設けられており、
前記第１突出部の一部には、前記ベース部から離間する方向に突出した壁部が設けられている、照明装置の取付構造。
【請求項２】
請求項１記載の照明装置の取付構造であって、
前記壁部は、前記支持壁部側に設けられている、照明装置の取付構造。
【請求項３】
請求項１又は２に記載の照明装置の取付構造であって、
前記壁部の前記第２突出部の突出方向に沿った高さは、前記第２突出部の突出方向に沿った高さよりも高い、照明装置の取付構造。
【請求項４】
請求項１〜３のいずれか１項に記載の照明装置の取付構造であって、
前記第１突出部は、前記側壁部と連結しており、
前記第２突出部は、前記側壁部に連結していない、照明装置の取付構造。
【請求項５】
請求項１〜４のいずれか１項に記載の照明装置の取付構造であって、
前記第１突出部及び前記第２突出部のそれぞれは、前記支持壁部側から前記側壁部側に向かって前記第１突出部及び前記第２突出部の突出方向に沿った高さが低くなる、照明装置の取付構造。
【請求項６】
請求項１〜５のいずれか１項に記載の照明装置の取付構造であって、
前記側壁部には、孔が形成され、
前記ベース部には、前記ベース部から前記支持壁部が位置する側に突出し、且つ前記側壁部のうち前記第１突出部に対向する部位とは前記孔を挟んだ反対側に連結された第３突出部が設けられている、照明装置の取付構造。
【請求項７】
請求項６記載の照明装置の取付構造であって、
前記壁部の前記第３突出部の突出方向に沿った高さは、前記第３突出部の突出方向に沿った高さよりも高い、照明装置の取付構造。
【請求項８】
請求項６又は７に記載の照明装置の取付構造であって、
前記ベース部には、前記支持壁部が位置する側に突出し、且つ前記支持壁部側から前記側壁側に向かって伸長する第４突出部が設けられ、
前記第４突出部は、前記支持壁部を挟んで、前記第１突出部及び前記第２突出部とは反対側に位置する、照明装置の取付構造。
【請求項９】
請求項８記載の照明装置の取付構造であって、
前記第４突出部の一部には、前記ベース部から離間する方向に伸長した壁部が設けられている、照明装置の取付構造。
【請求項１０】
請求項１〜９のいずれか１項に記載の照明装置の取付構造と、
前記取付対象であるドアライニングと、を備え、
前記ドアライニングは、
ベーストリムと、
前記ベーストリムに接続して前記ドアライニングの上方部を構成するアッパートリムと、
ドアノブと、を有し、
前記ベーストリムには、ドアアームレストが形成されている、車両用ドア。